(57)【要約】【課題】ロックされて携帯しやすいだけでなく、見やすい位置に貼り付けたり手に取ったりすることができるようにした携帯用小物収納具を提供する。【解決手段】本携帯用小物収納具は、連結された第１収納部５と第２収納部６とを備えている。第１収納部５と第２収納部６は、それぞれ共通の底面部２と別体の上面部３および周面部４と開口部５ａ，６ａを備え、底面部２の中心線を折り目として、開口部５ａ，６ａが連通した閉塞姿勢Ｂと露出した開放姿勢Ａとに開閉自在に転換する。閉塞姿勢Ｂを維持するように、第１収納部５または第２収納部６のいずれか一方がマグネットを備え、他方が強磁性体部材またはマグネットを備えている。【選択図】図９
2017217128.tif 000002
【特許請求の範囲】
【請求項１】
連結された第１収納部と第２収納部とを備え、
前記第１収納部と第２収納部は、それぞれ共通の底面部と別体の上面部および周面部と開口部とを備え、前記底面部の中心線を折り目として、前記開口部が連通した閉塞姿勢と露出した開放姿勢とに開閉自在に転換し、
前記閉鎖姿勢を維持するように、前記第１収納部または第２収納部のいずれかの一方がマグネットを備え、他方が強磁性体部材またはマグネットを備えていることを特徴とする携帯用小物収納具。
【請求項２】
前記第１収納部は、上面部をマグネットによって構成する第１上壁部を備え、前記第２収納部は、上面部を強磁性体部材またはマグネットによって構成する第２上壁部を備え、前記第１上壁部は、第２上壁部に重なる延設部を備えていることを特徴とする請求項１に記載の携帯用小物収納具。
【請求項３】
前記第１収納部と第２収納部との共通の底面部は、化粧シートを備えていることを特徴とする請求項１または２に記載の携帯用小物収納具。
【発明の詳細な説明】
【技術分野】
【０００１】
本発明は、開口部を有する第１収納部と開口部を有する第２収納部とを開閉自在に連結した携帯用小物収納具に関する。
【背景技術】
【０００２】
錠剤や事務用品等の小物を入れて携帯するための携帯用小物ケースが種々提供されている。例えば特許文献１に記載された携帯用小物ケースは、開口部を有するケース本体と、このケース本体の開口部を閉塞する蓋体を備え、蓋体はケース本体に蝶番により開閉可能に取り付けられている。
【０００３】
また、ケース本体にはケース本体側ロック部が設けられ、蓋体側には蓋体ロック部が設けられている。このような携帯用小物ケースは、ケース本体に蓋体を被せた状態で、前記ケース本体側ロック部と蓋体側ロック部とを嵌合させることで、ケース本体に被せた蓋体をロックして携帯することができる。
【先行技術文献】
【特許文献】
【０００４】
【特許文献１】実用新案登録第３１０１５９５号公報
【発明の概要】
【発明が解決しようとする課題】
【０００５】
特許文献１に記載された携帯用小物ケースは、ケース本体と蓋体とがロックされることで携帯しやすいようにされている。しかし、この携帯用小物ケースは、見やすい位置に貼り付けたり手に取ったりすることができない。
【０００６】
そこで、本発明は、ロックされて携帯しやすいだけでなく、見やすい位置に貼り付けたり手に取ったりすることができるようにした携帯用小物収納具を提供することを課題とする。
【課題を解決するための手段】
【０００７】
本発明に係る携帯用小物収納具は、連結された第１収納部と第２収納部とを備え、前記第１収納部と第２収納部は、それぞれ共通の底面部と別体の上面部および周面部と開口部とを備え、前記底面部の中心線を折り目として、前記開口部が連通した閉塞姿勢と露出した開放姿勢とに開閉自在に転換し、前記閉鎖姿勢を維持するように、前記第１収納部または第２収納部のいずれかの一方がマグネットを備え、他方が強磁性体部材またはマグネットを備えていることを特徴とする。
【０００８】
この携帯用小物収納具によれば、開口姿勢の第１収納部内または第２収納部内に小物が入れられ、閉塞姿勢とされたときに、第１収納部と第２収納部とがマグネットによってロックされた状態となって携帯することができる。また、第１収納部または第２収納部のいずれか一方に備えられたマグネットが鉄などの強磁性体製の被着面に磁気吸着され、見やすい位置に磁気吸着力によって貼り付けたり、剥がして手に取ったりすることができる。
【０００９】
また、前記本発明に係る携帯用小物収納具の一態様は、前記第１収納部は、上面部をマグネットによって構成する第１上壁部を備え、前記第２収納部は、上面部を強磁性体部材またはマグネットによって構成する第２上壁部を備え、前記第１上壁部は、第２上壁部に重なる延設部を備えていることを特徴としている。この携帯用小物収納具によれば、第１上壁部の延設部が第２上壁部に重なり、マグネットによって磁気吸着されることで、ロックされた状態に閉塞姿勢を維持することができる。
【００１０】
また、前記本発明に係る携帯用小物収納具の他態様は、前記第１収納部と第２収納部との共通の底面部は、化粧シートを備えていることを特徴としている。この携帯用小物収納具によれば、化粧シートによって底面部の外観を良好にすることができ、また、化粧シートが底面部の第１収納部と第２収納部とを蝶番のように連結する。
【発明の効果】
【００１１】
本発明によれば、ロックされて携帯しやすいだけでなく、見やすい位置に貼り付けたり手に取ったりすることが可能な携帯用小物収納具を提供することができる。
【図面の簡単な説明】
【００１２】
【図１】本発明係る携帯用小物収納具の一実施形態を示す斜視図である。
【図２】本発明係る携帯用小物収納具の一実施形態を示す平面図である。
【図３】本発明係る携帯用小物収納具の一実施形態において閉塞姿勢を示す断面図である。
【図４】本発明に係る携帯用小物収納具の一実施形態において開放姿勢を示す断面図である。
【図５】本発明に係る携帯用小物収納具に備えられた底面部を分解した状態の一実施形態を示す底面図である。
【図６】本発明に係る携帯用小物収納具に備えられた上面部を分解した状態の一実施形態を示す平面図である。
【図７】本発明に係る携帯用小物収納具に備えられた周面部を展開した状態の一実施形態を示す展開図である。
【図８】本発明に係る携帯用小物収納具を把持した状態の一実施形態を示す斜視図である。
【図９】本発明に係る携帯用小物収納具を把持して開放する状態の一実施形態を示す斜視図である。
【図１０】本発明に係る携帯用小物収納具の使用例を示す斜視図である。
【発明を実施するための形態】
【００１３】
本発明に係る携帯用小物収納具の一実施形態について図１〜図１０を参照しながら説明する。
【００１４】
本実施形態の携帯用小物収納具１は、連結された第１収納部５と第２収納部６とを備えている。第１収納部５と第２収納部６は、それぞれ共通の底面部２と別体の上面部３および周面部４と開口部５ａ，６ａとを備え、底面部２の中心線を折り目として、開口部５ａ，６ａが連通した閉塞姿勢Ｂと露出した開放姿勢Ａとに開閉自在に転換する。
【００１５】
底面部２は、図５に示すように、半円形のシート状のマグネット（以下、「マグネットシート」という。）からなる第１底壁部２０と、強磁性体であるシート状のスチール（以下、「スチールシート」という。）からなる半円形の第２底壁部２１と、両底壁部２０，２１に貼り付けられた可撓性を有する円形のビニールシートからなる化粧シート２２とから構成されている。
【００１６】
第１底壁部２０と第２底壁部２１とのそれぞれの直線の辺（弦）２０ａ，２１ａが互いに対向するように配置され（図面では見やすいように隙間を空けて描いているが、実際はこの隙間がもう少し狭いか、隙間がないように配置されている。）、その外側となる全面に化粧シート２２が貼着されている。
【００１７】
すなわち、第１底壁部２０と第２底壁部２１とは、化粧シート２２により平面視で円形となるように一体的に形成され、両底壁部２０，２１の弦２０ａ，２１ａを折り目として平坦な状態と重なり合った状態とに変形する。したがって、化粧シート２２が両底壁部２０，２１の弦２１ａ，２１ａと重なっている中心線の直線部２２ａが折り目となって蝶番のように作用し、この直線部２２ａを折り目にして第１底壁部２０と第２底壁部２１とは、屈曲自在とされている。
【００１８】
上面部３は、図６に示すように、マグネットシートからなる第１上壁部３０と、スチールシートからなる第２上壁部３１と、第１上壁部３０と第２上壁部３１とのそれぞれの上面に貼着された化粧シート（図示省略）とから構成されている。そして、第１上壁部３０は、第１上壁部２０と一定の間隔で離れて向き合う。第２上壁部３１は、同じ一定間隔で離れて第２上壁部３１と向き合う。
【００１９】
また、第１上壁部３０は、第１底壁部２０と同じ大きさの半円形の部分に、第２上壁部の直線状の端部と重なる延設部分３０ａを設けた形状とされている。すなわち、第１上壁部３０における第２上壁部３１側は、半径Ｒよりも所定寸法Ｌだけ長く設定された延設部分３０ａが設けられている。第２上壁部３１は、第１上壁部３０と同じ大きさの半円形に形成されている。マグネットシートからなる第１上壁部３０の延設部分３０ａは、スチールシートからなる第２上壁部３１に着脱自在に磁気吸着される。
【００２０】
また、周面部４は、図７に示すように、帯状の第１周壁部４０と第２周壁部４１とを備え、例えばアルミニウムなどによって形成されている。第１周壁部４０は、一定の間隔をもって向き合っている第１底壁部２０の外周縁と第１上壁部３０の円周縁とに接続されている。これにより、第１周壁部４０は円弧状を呈し、第１底壁部２０と第１上壁部３０と第１周壁部４０とにより、開口部５ａを有する第１収納部５が構成されている。
【００２１】
また、第２周壁部４１は、一定の間隔で向き合っている第２底壁部２１の円周縁と第２上壁部３１の外周縁とに接続されている。これにより、第２周壁部４１は円弧状を呈し、第２底壁部２１と第２上壁部３１と第２周壁部４１とにより、開口部６ａを有する第２収納部６が構成されている。なお、第１周壁部４０と第２周壁部４１とのそれぞれの表面には、化粧シート（図示省略）がそれぞれ設けられている。
【００２２】
次に、以上のように構成された携帯用小物収納具１の使用例について説明する。
【００２３】
先ず、携帯用小物収納具１に小物として薬剤を収納する場合について説明する。携帯用小物収納具１は、図１〜図３に示すような上面部３と底面部２とが互いに平行でかつ平坦な面となった閉塞姿勢Ａにおいて、第１周壁部４０の両縁部４０ａと第２周壁部４１の両縁部４１ａとが互いに接近または当接している。これにより、第１収納部５の開口部５ａと第２収納部６の開口部６ａとが連通し、開口部５ａ、６ａは閉塞状態Ａにある。
【００２４】
この携帯用小物収納具１の閉塞姿勢Ａにおいて、マグネットシートからなる第１上壁部３０の延設部分３０ａは、スチールシートからなる第２上壁部３１の一部に上方から磁気吸着している。この延設部分３０ａのマグネットシートによる磁気吸着力がロック機能を発揮することにより、携帯用小物収納具１は閉塞姿勢Ａを維持している。
【００２５】
次に、薬剤を収納していない携帯用小物収納具１に薬剤を収納する場合について説明する。
【００２６】
例えば、図８に示すように、閉塞姿勢Ａの携帯用小物収納具の第１収納部５を左手で把持し、第２収納部６を右手で把持する。すなわち、左手の親指１０ａで第１上壁部３０を押さえ、左手の人差し指１０ｂで第１底壁部２０を押さえる。そして、右手の親指１１ａで第２上壁部３１を押さえ、右手の親指１１ｂで第２底壁部２１を押さえる。
【００２７】
次に、図９に示すように、底面部２の第１上壁部２０と第２上壁部２１とが向き合うように、両手を使って第１収納部５と第２収納部６とを屈曲する。第１底壁部２０と第２底壁部２１とは、可撓性を有する化粧シート２２が蝶番の如く機能するように接続されているので、化粧シート２２が直線部２２ａを折り目にして屈曲する。そして、第１収納部５と第２収納部６のそれぞれの開口部５ａ、６ａが上を向く方向に姿勢変更する。
【００２８】
このとき、第１上壁部３０の延設部分３０ａが磁気吸着力に抗して第２上壁部３１から離間し、両方の第１収納部５と第２収納部６のそれぞれの開口部５ａ、６ａが上向きに露出する。さらに、図４に示すように、第１収納部５と第２収納部６とを重ね合わせると、マグネットシートからなる第１底壁部２０とスチールシートからなる第２底壁部２１は、磁気吸着力により重ね合わされるため、第１収納部５と第２収納部６とが並んだ状態となり、開口部５ａ、６ａが同じ方向を向いた開放姿勢Ｂを維持させることができる。
【００２９】
そして、開放姿勢Ｂの第１収納部５と第２収納部６とを一方の手で把持し、他方の手で摘まんだ錠剤を開口部５ａ、６ａから第１収納部５または第２収納部６に適宜入れることができる。
【００３０】
さらに、第１収納部５と第２収納部６とが直列に並ぶ方向に戻すと、第１収納部５の第１底壁部２０と第２収納部６の第２底壁部２１とは、磁気吸着力に抗して離間し、携帯用小物収納具１は閉塞姿勢Ａに復元する。この閉塞姿勢Ａにおいて、携帯用小物収納具１を携帯する。閉塞姿勢Ａの携帯用小物収納具１は、マグネットシートからなる第１上壁部３０の延設部分３０ａとスチールシートからなる第２上壁部３１とが磁気吸着し、ロック機構が作用することから、開けようとしない限り開放姿勢Ｂとならず、収納された薬剤が飛び出ることはない。
【００３１】
そして、閉塞姿勢Ａの携帯用小物収納具１から錠剤を取り出す場合には、携帯用小物収納具１を前記のようにして開放姿勢Ｂに姿勢変更させる。さらに、開放された開口部５ａ、６ａを下向きとすることにより、錠剤を第１収納部５および第２収納部６から容易かつ迅速に取り出すことができる。なお、錠剤を取り出した後は、携帯用小物収納具１前記のように簡単かつ迅速に閉塞姿勢Ａに復元させることができる。
【００３２】
以上のように、本実施形態の携帯用小物収納具１は、第１収納部５と第２収納部６とに割って開放することができ、その開放動作を容易かつ迅速に行うことができる。しかも、携帯にも便利なコンパクトサイズでデザイン性にも優れている。
【００３３】
本実施形態の携帯用小物収納具１は、携帯以外に見やすい位置に適時、貼り付けておくことも可能である。例えば、スチール家具や冷蔵庫等のスチール製の被着面４３に貼り付ける場合について図１０を参照しながら説明する。
【００３４】
開放姿勢Ｂとした携帯用小物収納具は、開口部５ａ，６ａを上向きにすると、延設部分３０ａが第１収納部５の開口部５ａおよび第２収納部６の開口部６ａよりも上方に突出した状態となる。そして、この延設部分３０ａを含み、マグネットシートからなる含む第１上壁部３０を被着面４３に磁気吸着させることにより、携帯用小物収納具１を被着面３に貼り付けることができる。
【００３５】
そして、開放姿勢Ｂの携帯用小物収納具１は、開口部５ａ，６ａが開放されているため、薬剤を第１収納部５および第２収納部６に適宜収納しておくこができる。携帯用小物収納具１を携帯する場合は、容易に取り外した後に閉塞姿勢Ａにする。なお、携帯用小物収納具１は、柄やカラー等のデザインの相違する複数個のものをそれぞれ固定することができ、装飾的な価値を発揮させることもできる。
【００３６】
また、携帯用小物収納具１は、閉塞姿勢Ａの状態であっても、マグネットシートからなる第１底壁部２０を被着面４３に磁気吸着させておきことができる。
【００３７】
なお、本発明は、上記の実施形態に限定されるものではなく、本発明と同一および均等の範囲内において、上記の実施の形態に対して種々の変更を加えることが可能である。例えば、第１上壁部３０は、全体がマグネットシートから構成する以外に、延設部分３０ａ（吸着に寄与する一部分）をマグネットで形成し、それ以外を金属または合成樹脂等で形成することも可能である。
【００３８】
また、底面部２は、マグネットシートに替え、プラスチックシートやボードなどにボタン状のマグネットを１個または複数個、固着したものとしてもよい。さらに、スチールシートで構成した部位もマグネットシートで構成してもよい。さらに、第１周壁部４０の両縁部４０ａと第２周壁部４１の両縁部４１ａに突片を設け、この突片の少なくとも一方にマグネットを備え、他方にマグネットまたは強磁性体部材を備えるようにしてもよい。
【００３９】
また、第１底壁部２０と第２底壁部２１の接続は、化粧シート２２以外に、帯状のテープで蝶番のように機能させてもよい。その他、携帯用小物収納具１の大きさや形状は、適宜設計変更可能である。さらに、小物は、薬剤以外に、クリップのような事務用品、複数種類の鍵など限定されないことはいうまでもない。
【符号の説明】
【００４０】
１          携帯用小物収納具
２          底面部
３          上面部
４          周面部
５          第１収納部
５ａ        開口部
６          第２収納部
６ａ        開口部
２０        第１底壁部
２１        第２底壁部
２２        化粧シート
２２ａ      直線部
３０        第１上壁部
３０ａ      延設部
３１        第２上壁部
４０        第１周壁部
４０ａ      両縁部
４１        第２周壁部
４１ａ      両縁部
４３        被着面
Ａ          閉塞姿勢
Ｂ          開放姿勢
【図１】
2017217128.tif 000003
【図２】
2017217128.tif 000004
【図３】
2017217128.tif 000005
【図４】
2017217128.tif 000006
【図５】
2017217128.tif 000007
【図６】
2017217128.tif 000008
【図７】
2017217128.tif 000009
【図８】
2017217128.tif 000010
【図９】
2017217128.tif 000011
【図１０】
2017217128.tif 000012